(57)【要約】本発明は、放射電極と集塵電極とを含む、少なくとも複数のイオン化コロナ効果静電集塵装置を備える装置に関する。静電集塵装置の数は、通過が遅いほど、集塵の効率が上がり、抵抗器に変換される電極がフラックスにより冷却されにくいことを考慮に入れ、処理されるフラックスに基づき確定される。滑らかで管状の集塵電極は、交互に集塵装置と電気抵抗器となるため、回収した粒子を焼却または燃焼するのに十分な温度で短時間加熱される。放射電極は、集塵構造の中心に配置される。上記電極は、集塵電極において処理されるフラックスの通過の方向に対して軸方向で、処理されるフラックス、ガス、および霧の方向に垂直なビームの形で他の電極を補完することができる。酸化触媒、前置フィルタ、後置フィルタ、または、気体、固体および液体汚染物質の低減と騒音減衰を可能にするその他の装置を関連付けることができる。本発明の装置は、それだけには限定されないが、エンジン排気ガス、油と水の霧、煙霧、吸気、抽出または再利用物、および環境に有害な一般的なすべての汚染物質をろ過し、再生するために設計されている。【特許請求の範囲】
【請求項１】
耐熱支持体（２）上に配置される電気抵抗器に定期的になり、アースまたは地面に接続され（１３）、電源により個々にまたはいくつかが同時に加熱される複数の管状集塵電極（４）と、
各集塵電極の中心に配置され、直流供給のために絶縁するおよび／または絶縁された支持体（３）に固定され、交流供給のために接地される、集塵電極（４）と同じ数の複数の放射電極と、
を備えるコロナ作用静電集塵装置アセンブリを備えることを特徴とする、空気、ガス、または霧中の粒子のろ過および再生装置。
【請求項２】
放射電極が処理されるフラックス（５）の方向に並んでいることを特徴とする、請求項１に記載のろ過および再生装置。
【請求項３】
上記放射電極が処理されるフラックスに垂直な放射電極により補完されて、集塵電極の軸上に並んだ１つ以上のビーム（６）を形成することを特徴とする、請求項１または２に記載のろ過および再生装置。
【請求項４】
集塵電極の支持体（２）が誘電体であることを特徴とする、請求項１に記載のろ過および再生装置。
【請求項５】
被覆（１）またはハウジングを備えることを特徴とする、請求項１から４のいずれか一項に記載のろ過および再生装置。
【請求項６】
第２のまたは複数のその他の再生静電集塵装置（１５）を備えることを特徴とする、請求項１から５のいずれか一項に記載のろ過および再生装置。
【請求項７】
消音器またはサイレンサ（１８）を備えることを特徴とする、請求項１から６のいずれか一項に記載のろ過および再生装置。
【請求項８】
ガス酸化触媒（１９）を備えることを特徴とする、請求項１から７のいずれか一項に記載のろ過および再生装置。
【請求項９】
固体または液体の粒子を収容する区域を排出するシステム（２２）を備えることを特徴とする、請求項１から８のいずれか一項に記載のろ過および再生装置。
【請求項１０】
各々の構成要素の利用、清掃、および取り外しが可能であるドア、ハッチ、またはカバー（２４）を備えることを特徴とする、請求項１から９のいずれか一項に記載のろ過および再生装置。
【請求項１１】
ブラウン運動効果または衝撃効果を利用する１つ以上の慣性前置フィルタ（２０）、除去板、霧除去器、サイクロン、または処理される空気、ガス、または霧を改善するように設計されたその他のシステムを備えることを特徴とする、請求項１から１０のいずれか一項に記載のろ過および再生装置。
【請求項１２】
ブラウン運動効果または衝撃効果を利用する１つ以上の精密フィルタ（２１）、除去板、霧除去器、サイクロン、またはシステムの効率を向上させ確保するように設計されたその他のシステムを備えることを特徴とする、請求項１から１１のいずれか一項に記載のろ過および再生装置。
【請求項１３】
処理されるフラックスのための入口（１１）と処理されたフラックスのための出口（１２）を備えることを特徴とする、請求項１から１２のいずれか一項に記載のろ過および再生装置。
【請求項１４】
自動推進式かどうかにかかわらず、ヒートエンジンの排気ガスをろ過するための、請求項１から１２のいずれか一項に記載のろ過および再生装置の使用。
【請求項１５】
粒子を含んでいる区域からの抽出により、空気、ガス、および／または霧をろ過するための、請求項１から１２のいずれか一項に記載のろ過および再生装置の使用。
【請求項１６】
汚染物質から保護される区域から入ることにより空気、ガス、および／または霧をろ過するための、請求項１から１２のいずれか一項に記載のろ過および再生装置の使用。
【請求項１７】
粒子を含んでいる区域を再生することにより空気、ガス、および／または霧をろ過するための、請求項１から１２のいずれか一項に記載のろ過および再生装置の使用。
【発明の詳細な説明】
【技術分野】
【０００１】
本発明は、ガス環境における粒子のろ過および再生装置に関する。
【背景技術】
【０００２】
装置の非排他的用途は、
ヒートエンジン、特にトラック、トラクター、バス、長距離バス、オートバイ、機関車、汽船、発電機、飛行機、およびすべての建設現場のエンジンの排気ガスをろ過することと、
空気、ガス、霧をろ過して、空気、ガス、霧の吸入から身を守るだけでなく、環境を保護することである。
【０００３】
排気ガスを処理し、空気、ガス、霧をろ過するために多数の装置と手順が既に存在している。酸化触媒、粒子を捕捉する材料による通過を必要とするシステム、および集塵電極内または集塵電極上の粒子を保持する静電集塵装置はどれも、上部圧力または反対圧力の損失の増加、頻繁で高額な保守の必要性、交換を要する消耗品、低温で使用しなければならない再生添加剤、処理されるフラックスの高速通過のために目詰まりと再生が起こる度に低下する低い効率、大量の装置、およびその他多くの欠点を有する。
【発明の開示】
【発明が解決しようとする課題】
【０００４】
本発明の装置はこれらの欠点を克服する。
【課題を解決するための手段】
【０００５】
この装置は、
処理されるフラックスと適合するような寸法で、同じフラックスの少なくとも１つの入口と少なくとも１つの出口とを備える外部被覆と、
１つ以上の断熱誘電板でできた集塵電極のための少なくとも１つの支持体と、
放射電極のための少なくとも１つの支持体と、
処理される流速が最適効率を得るのに十分なほど低く、両端で開放される管状の形状をした、十分な数の複数の集塵電極であって、集塵装置と電気抵抗器が回収された粒子を燃焼させるほど高温で交互に加熱されることを特徴とする集塵電極と、
各集塵電極の中心に位置する縦型の１個の放射電極と、
を備える、少なくとも複数のイオン化コロナ作用静電集塵装置を備える。
【０００６】
この装置の特徴は、
処理されるフラックスがいかなる物質も通過しないため、ヘッドの損失を引き起こすことも増大させることもないことと、
電極を通るフラックスの通過が遅く、実質上一方向であるため、高レベルの効率を保持することと、
集塵電極が、添加物の必要性、または処理されるフラックスの相当な遅さによる多大な電力の投入なしで、捕捉された粒子を再生することと、
消耗品が不必要であることと、
装置が製造しやすく、高価な技術を使用しないことと、
粒子回収効率がフラックスの処理される温度に影響を受けないことと、
装置が小型であることと、
を確保することによって、これまでに利用可能な装置および手順に備わる諸問題の解決策を提供する。
【０００７】
本発明の装置は、処理される空気、ガス、および／または霧のフラックスの速度を低減することを可能にすることによって、静電集塵装置の効率とイオン化を向上させる。さらに、集塵電極の連続的温度上昇は、処理されるフラックスの速度が低いため、有利に自動化されうるこの作業に対するエネルギー消費を大幅に増大させる傾向がない領域で、捕捉した粒子を焼却処理する。
【０００８】
この装置の効率は、第１の再生静電集塵装置に類似し、その後に配置される第２またはそれ以上の再生静電集塵装置を有利に含めることによって高めることができる。
【０００９】
有利なことに、放射電極は、処理されるフラックスの方向に垂直なビームが設けられ、集塵電極に向かう粒子の反発力を高めるために電極の中心に配置される。
【００１０】
任意の汚染ガスの酸化を高めるために、装置は好ましくは、フィルタの前または後の酸化触媒を含む。これが静電集塵装置の下流に配置される場合、その上流の粒子による酸化触媒の妨害を防止する。
【００１１】
有利なことに、装置は、ブラウン運動効果または衝撃効果を利用することのできる前置フィルタおよび／または機械精密フィルタ、除去板、霧除去器、サイクロン、あるいは、処理される空気、ガス、または霧を改善するように設計されたその他のシステムを含む。
【００１２】
好ましくは、装置の各構成要素は取り外すことができる。
【００１３】
装置を備える構成要素を利用、交換、または清掃するために、処理されるフラックスに対して漏れを防ぐ１つ以上のドアまたはハッチが設けられる。
【００１４】
粒子ろ過および再生装置は好ましくは、特にヒートエンジンで使用されるときに、消音器またはサイレンサを含む。
【００１５】
装置の設置に関する特定条件を満たすために固着点が設けられる。
【００１６】
いくつかの場合、特に油質の空気および／または霧をろ過する際、装置は、好ましくは装置の下流に設置される吸引手段を備える。
【００１７】
図面の説明の導入として、装置の静電集塵装置の効率に影響を及ぼす以下の要因に留意されたい。
・できる限り低速でなければならない、処理されるフラックスの速度（ドイッチュ（Ｄｅｕｔｓｃｈ）比）。
・粒子への帯電ができる限り高くなるような高イオン化電圧。これにより、集塵電極に向かう粒子の移動速度が上昇する。
・中央の放射電極から最も遠い粒子ができる限り近づくように、集塵電極の直径は小さくなければならない。
【発明を実施するための最良の形態】
【００１８】
これらの図面を参照すると、装置は、処理されるガス、空気、および／または霧の入口（１１）といったん処理された後の出口（１２）を与えるために、少なくとも２つの箇所で開放されるハウジングまたは外層（１）を備える。
【００１９】
ハウジング内部では、好ましくは断熱または絶縁される集塵電極のための支持体（２）を備える静電集塵装置が固定される。この支持体は、アノードとしても知られる、金属性でできるだけ小さな直径（好ましい直径は１５から３５ｍｍ）で、好ましくは直径の３倍を超えない全長の管状の、複数の集塵電極（４）を備える。これらの電極は、接地される（１３）（直流を提供する電池）か、交流で作動する設備に接地される。前記電極は、同じか別の配線によって、電極で回収された粒子を燃やす目的で、約数秒で６００℃まで１つ以上の集塵電極を加熱することのできる電源（８）に接続される。この作業は、すべての集塵電極で連続的に行われ、タイマにより制御されて継続的に、あるいは人間のオペレータの介入によって、定期的に更新される。
【００２０】
これらの静電集塵装置は、好ましくは絶縁された放射電極のための支持体（３）も備える。好ましくは集塵支持体の後ろに配置されるこの支持体は、金属性放射電極（５）が集塵電極により形成されるチューブの中心に来るように金属性放射電極（５）を支える。処理されるフラックスが入る側のこれらの電極の端部は、好ましくは先が尖っている。ビーム（６）は有利なことに、管状区域の影響から逃れた粒子を回収するため前記放射電極に固定される。これらの放射電極は、フィルタの正しい動作に必要な電圧を供給する配線（１４）によって接続される。この電圧は好ましくは、好ましくは負極性の１から３０ｋＶの安定した高電圧、すなわち、調節可能で可能な限り最高のアンペア数を提供する変圧器または変換器により生成される（７）。
【００２１】
個々の接合部は、集塵／再生電極（９）と放射電極（１０）の配線を組み立てるために設けられる。
【００２２】
手順の効率を高めるため、１つ以上のアセンブリ（１５）は上述したように、第１の静電集塵アセンブリの後ろに設置することができる（図１）。
【００２３】
処理されるフラックスの入口で、偏向板（１６）が有利なことに、各管状静電集塵装置に同じ速度を与えるように設計されたチャンバ（１７）に向けてフラックスを方向付ける。この速度は静電集塵装置を通過する際に秒当たり３メートルを超えてはならず、好ましくは秒当たり２．５メートル未満であるべきである。
【００２４】
有利なことに、消音器またはサイレンサ（１８）は、特にフィルタがヒートエンジンのサイレンサを交換するために使用されるとき、静電集塵装置の後ろに置かれる。本願は、ガス酸化触媒（１９）または汚染物質を軽減するように設定されたその他の手順も含むことができる。この構成要素は好ましくは、静電集塵装置の後に位置決めされる。
【００２５】
有利なことに、ブラウン運動効果または衝撃効果を利用する慣性前置フィルタ（２０）、除去板、霧除去器（すなわち、気体環境における滴および小滴を分離するフィルタ）、サイクロン、または処理される空気、ガス、霧を改善するように設計されたその他のシステムが設置される。精密フィルタ（２１）は、システムの効率を高め、確保するために設けられる。
【００２６】
抽出システムまたは換気装置（２３）などの処理されるフラックスを吸入するシステムを、本発明に追加することができる。
【００２７】
油、水、灰などの回収または焼却された物質を排出するシステム（２２）を、装置に追加することができる。
【００２８】
カバーを形成するハウジングまたは被覆により囲まれるすべての構成要素は有利なことに、簡易で、迅速で、漏れのない抽出を可能にするようにランナ（２３）、ガイド、またはその他のシステム上に配置される。
【００２９】
１つ以上のアクセスまたは検査ドアまたはハッチ（２４）が、特に特定の構成要素の清掃のためのアクセスが要求する場合、本発明を備える構成要素の清掃を可能とするために設けられる。
【図面の簡単な説明】
【００３０】
【図１】本発明の装置の断面図である。
【図２】処理されるフラックスが入る側から見た静電集塵装置の正面図である。
【図３】静電集塵装置の一構成要素の詳細図である。
【図４】内燃ヒートエンジンでの使用のための好適な実施形態における、上部が開放された、本発明の装置の図である。
【図５】全般的換気で空気または霧をろ過する際の使用のための好適な実施形態における、本発明の装置の断面図である。
【図６】「精密（ｆｉｎｅ）」、「Ｔ．Ｈ．Ｅ．」、「完全（ａｂｓｏｌｕｔｅ）」として既知の種類のエアフィルタを交換する際の使用のための好適な実施形態における、本発明の装置の断面図である。
【図１】
2005530611.tif 000002
【図２】
2005530611.tif 000003
【図３】
2005530611.tif 000004
【図４】
2005530611.tif 000005
【図５】
2005530611.tif 000006
【図６】
2005530611.tif 000007
【国際調査報告】
2005530611.tif 000008
2005530611.tif 000009
2005530611.tif 000010
2005530611.tif 000011